(57)【要約】  スペクトル画像は、光学的異常に関して補正される。組織は、高強度で狭帯域の光に対して暴露される。狭帯域の光は、組織中の少なくとも一つの分析対象物により散乱される。ラマンシグナルは、散乱光から光学的に回収される。ラマンシグナルは、波長-分離装置に対して向けられる。ラマンシグナルは、強度および波長の関数として検出され、スペクトル画像が作成される。スペクトル画像は、ソフトウェアアルゴリズムを使用して、光学的異常に関して補正され、空間的に強度が再配置される。ソフトウェアは、動的な補正を作るために、参照画像を使用するように適用することができる。蛍光シグナルもまた、回収することができる。【選択図】  なし
2010501251.tif 000002
【特許請求の範囲】
【請求項１】
高強度で狭帯域の光であって皮膚組織中の少なくとも一つの分析対象物により散乱されるものに対して、皮膚組織を暴露すること；
散乱光からのラマンシグナルを光学的に回収すること；
ラマンシグナルを波長-分離装置に対して向けること；
ラマンシグナルを強度および波長の関数として検出して、スペクトル画像を作成すること；そして
ソフトウェアアルゴリズムを使用して光学的異常に関してスペクトル画像を補正して、空間的に強度を再配置すること；
を含む、光学的異常に関してスペクトル画像を補正する方法。
【請求項２】
狭帯域の光が単色光である、請求項1の方法。
【請求項３】
単色光がレーザーによるものである、請求項2の方法。
【請求項４】
狭帯域の光が多色光源より得られる、請求項1の方法。
【請求項５】
狭帯域の光が約300 nmから約5,000 nmの波長を有する、請求項1の方法。
【請求項６】
狭帯域の光が約800 nmから約1,050 nmの波長を有する、請求項5の方法。
【請求項７】
ラマン光を検出することがマルチピクセル検出器を使用することを含む、請求項1の方法。
【請求項８】
マルチピクセル検出器が電荷結合素子（CCD）である、請求項7の方法。
【請求項９】
マルチピクセル検出器がダイオードアレイである、請求項7の方法。
【請求項１０】
ラマン光を検出することが可動性単一検出器（movable single detector）を使用することを含む、請求項1の方法。
【請求項１１】
波長-分離装置が回折素子である、請求項1の方法。
【請求項１２】
回折素子がホログラフィック回折格子、回折格子、光学結晶、または、プリズムである、請求項11の方法。
【請求項１３】
波長-分離装置がフィルターである、請求項1の方法。
【請求項１４】
フィルターが音響光学チューナブルフィルター（AOTF）、または、液晶チューナブルフィルター（LCTF）である、請求項13の方法。
【請求項１５】
光学的異常が曲線である、請求項1の方法。
【請求項１６】
画像が垂直直線スリット画像（vertical straight slit image）である、請求項1の方法。
【請求項１７】
強度の関数としてのラマンシグナルの検出が垂直ビニングを含む、請求項1の方法。
【請求項１８】
高強度で狭帯域の光であって皮膚組織中の少なくとも一つの分析対象物により散乱されるものに対して、皮膚組織を暴露すること；
散乱光からのラマンシグナルを光学的に回収すること；
ラマンシグナルを波長-分離装置に対して向けること；
ラマンシグナルを強度および波長の関数として検出して、スペクトル画像を作成すること；
ソフトウェアアルゴリズムを使用して光学的異常に関してスペクトル画像を補正して、空間的に強度を再配置すること；そして
補正されたスペクトル画像を使用して、少なくとも一つの分析対象物の濃度を測定すること；
を含む、液体中の少なくとも一つの分析対象物の濃度を測定する方法。
【請求項１９】
分析対象物がグルコースである、請求項18の方法。
【請求項２０】
狭帯域の光が単色光である、請求項18の方法。
【請求項２１】
単色光がレーザーによるものである、請求項20の方法。
【請求項２２】
狭帯域の光が多色光源より得られる、請求項18の方法。
【請求項２３】
狭帯域の光が約300 nmから約5,000 nmの波長を有する、請求項18の方法。
【請求項２４】
狭帯域の光が約800 nmから約1,050 nmの波長を有する、請求項23の方法。
【請求項２５】
ラマン光を検出することがマルチピクセル検出器を使用することを含む、請求項18の方法。
【請求項２６】
マルチピクセル検出器が電荷結合素子（CCD）である、請求項25の方法。
【請求項２７】
マルチピクセル検出器がダイオードアレイである、請求項25の方法。
【請求項２８】
ラマン光を検出することが可動性単一検出器（movable single detector）を使用することを含む、請求項18の方法。
【請求項２９】
波長-分離装置が回折素子である、請求項18の方法。
【請求項３０】
回折素子がホログラフィック回折格子、回折格子、光学結晶、または、プリズムである、請求項29の方法。
【請求項３１】
波長-分離装置がフィルターである、請求項18の方法。
【請求項３２】
フィルターが音響光学チューナブルフィルター（AOTF）、または、液晶チューナブルフィルター（LCTF）である、請求項31の方法。
【請求項３３】
光学的異常が曲線である、請求項18の方法。
【請求項３４】
画像が垂直直線スリット画像（vertical straight slit image）である、請求項18の方法。
【請求項３５】
強度の関数としてのラマンシグナルの検出が垂直ビニングを含む、請求項18の方法。
【請求項３６】
高強度帯域の光に対して、皮膚組織を暴露すること；
皮膚組織の画像を光学的に回収すること；
ソフトウェアを使用して画像を動的に補正して、少なくとも一つの器械及び皮膚組織に関して光学的に補正すること；そして
補正された画像からの情報を使用して、一般的な診断を行うこと；
を含む、器械を使用して光学的異常に関してスペクトル画像を補正する方法。
【請求項３７】
高強度帯域の光が単色光である、請求項36の方法。
【請求項３８】
単色光がレーザーによるものである、請求項37の方法。
【請求項３９】
高強度帯域の光が多色光源より得られる、請求項36の方法。
【請求項４０】
高強度帯域の光が約300 nmから約5,000 nmの波長を有する、請求項36の方法。
【請求項４１】
高強度帯域の光が約800 nmから約1,050 nmの波長を有する、請求項40の方法。
【請求項４２】
画像を光学的に回収することがマルチピクセル検出器を使用することを含む、請求項36の方法。
【請求項４３】
マルチピクセル検出器が電荷結合素子（CCD）である、請求項42の方法。
【請求項４４】
マルチピクセル検出器がダイオードアレイである、請求項42の方法。
【請求項４５】
検出器が可動性単一検出器（movable single detector）である、請求項36の方法。
【請求項４６】
画像を光学的に回収することが、波長-分離装置として回折素子を使用することを含む、請求項36の方法。
【請求項４７】
回折素子がホログラフィック回折格子、回折格子、光学結晶、または、プリズムである、請求項46の方法。
【請求項４８】
画像を光学的に回収することが、波長-分離装置としてフィルターを使用することを含む、請求項36の方法。
【請求項４９】
フィルターが音響光学チューナブルフィルター（AOTF）、または、液晶チューナブルフィルター（LCTF）である、請求項48の方法。
【請求項５０】
高強度の光であって皮膚組織中の少なくとも一つの分析対象物により散乱されるものに対して、皮膚組織を暴露すること；
散乱光からの蛍光シグナルを光学的に回収すること；
蛍光シグナルを波長-分離装置に対して向けること；
蛍光シグナルを強度および波長の関数として検出して、スペクトル画像を作成すること；そして
ソフトウェアアルゴリズムを使用して光学的異常に関してスペクトル画像を補正して、空間的に強度を再配置すること；
を含む、器械を使用して光学的異常に関してスペクトル画像を補正する方法。
【請求項５１】
高強度の光が単色光である、請求項50の方法。
【請求項５２】
単色光がレーザーによるものである、請求項51の方法。
【請求項５３】
高強度の光が多色光源より得られる、請求項50の方法。
【請求項５４】
高強度の光が約300 nmから約5,000 nmの波長を有する、請求項50の方法。
【請求項５５】
蛍光を検出することがマルチピクセル検出器を使用することを含む、請求項50の方法。
【請求項５６】
マルチピクセル検出器が電荷結合素子（CCD）である、請求項55の方法。
【請求項５７】
マルチピクセル検出器がダイオードアレイである、請求項55の方法。
【請求項５８】
蛍光を検出することが、可動性単一検出器（movable single detector）を使用することを含む、請求項50の方法。
【請求項５９】
波長-分離装置が回折素子である、請求項50の方法。
【請求項６０】
回折素子がホログラフィック回折格子、回折格子、光学結晶、または、プリズムである、請求項59の方法。
【請求項６１】
波長-分離装置がフィルターである、請求項50の方法。
【請求項６２】
フィルターが音響光学チューナブルフィルター（AOTF）、または、液晶チューナブルフィルター（LCTF）である、請求項61の方法。
【請求項６３】
光学的異常が曲線である、請求項50の方法。
【請求項６４】
画像が垂直直線スリット画像（vertical straight slit image）である、請求項50の方法。
【請求項６５】
強度の関数としてのラマンシグナルの検出が垂直ビニングを含む、請求項50の方法。
【請求項６６】
高強度で狭帯域の光であって組織中の少なくとも一つの分析対象物により散乱されるものに対して、組織を暴露すること；
散乱光からのラマンシグナルを光学的に回収すること；
ラマンシグナルを波長-分離装置に対して向けること；
ラマンシグナルを強度および波長の関数として検出して、スペクトル画像を作成すること；そして
ソフトウェアアルゴリズムを使用して光学的異常に関してスペクトル画像を補正して、空間的に強度を再配置すること；
を含む、光学的異常に関してスペクトル画像を補正する方法。
【請求項６７】
高強度で狭帯域の光であって組織中の少なくとも一つの分析対象物により散乱されるものに対して、組織を暴露すること；
散乱光からのラマンシグナルを光学的に回収すること；
ラマンシグナルを波長-分離装置に対して向けること；
ラマンシグナルを強度および波長の関数として検出して、スペクトル画像を作成すること；
ソフトウェアアルゴリズムを使用して光学的異常に関してスペクトル画像を補正して、空間的に強度を再配置すること；そして
補正されたスペクトル画像を使用して、少なくとも一つの分析対象物の濃度を測定すること；
を含む、液体中の少なくとも一つの分析対象物の濃度を測定する方法。
【請求項６８】
高強度帯域の光に対して、組織を暴露すること；
組織の画像を光学的に回収すること；
ソフトウェアを使用して画像を動的に補正して、少なくとも一つの器械及び組織に関して光学的に補正すること；そして
補正された画像からの情報を使用して、一般的な診断を行うこと；
を含む、器械を使用して光学的異常に関してスペクトル画像を補正する方法。
【請求項６９】
高強度の光であって組織中の少なくとも一つの分析対象物により散乱されるものに対して、組織を暴露すること；
散乱光からの蛍光シグナルを光学的に回収すること；
蛍光シグナルを波長-分離装置に対して向けること；
蛍光シグナルを強度および波長の関数として検出して、スペクトル画像を作成すること；そして
ソフトウェアアルゴリズムを使用して光学的異常に関してスペクトル画像を補正して、空間的に強度を再配置すること；
を含む、器械を使用して光学的異常に関してスペクトル画像を補正する方法。
【請求項７０】
散乱光からのラマンシグナルを光学的に回収すること；
ラマンシグナルを波長-分離装置に対して向けること；
ラマンシグナルを強度および波長の関数として検出して、スペクトル画像を作成すること；そして
ソフトウェアアルゴリズムを使用して光学的異常に関してスペクトル画像を補正して、空間的に強度を再配置すること；
を含む、光学的異常に関してスペクトル画像を補正する方法。
【請求項７１】
散乱光からの蛍光シグナルを光学的に回収すること；
蛍光シグナルを波長-分離装置に対して向けること；
蛍光シグナルを強度および波長の関数として検出して、スペクトル画像を作成すること；そして
ソフトウェアアルゴリズムを使用して光学的異常に関してスペクトル画像を補正して、空間的に強度を再配置すること；
を含む、器械を使用して光学的異常に関してスペクトル画像を補正する方法。
【発明の詳細な説明】
【技術分野】
【０００１】
発明の分野
［0001］  本発明は、一般に、ソフトウェアを使用してスペクトル画像を補正する方法に関連する。この方法を使用して、分析対象物の濃度を測定することを補助することができる。
【背景技術】
【０００２】
［0002］  体液中の分析対象物の定量は、特定の生理的異常の診断及び維持において非常に重要である。例えば、乳酸塩、コレステロール、及びビリルビンは、特定の個体においては、モニタリングされるべきである。特に、糖尿病個体においては、体液中のグルコースレベルを頻繁に検査して、食餌中のグルコースの取り込みを調節することが重要である。そのような試験の結果を使用して、もしあれば、インスリンまたは他の薬剤を投与する必要があることを決定することができる。
【０００３】
［0003］  いくつかの既存の技術において、ランセットを使用して、使用者から液体（例えば血液）を採取することができる。次に、器械または計量器を用いて、この液体を使用して、分析対象物の濃度を測定する。分析対象物濃度を正確に測定しつつ、ランセットを使用する必要性を排除することが望ましいであろう。そういった応用は、非侵襲的技術と言われる。
【０００４】
［0004］  一つの非侵襲的技術は、ラマンシグナルを使用して、グルコースなどの分析対象物の濃度を測定することに関与する。しかしながら、ラマンシグナルまたは他のタイプのシグナルを使用する既存の非侵襲的方法には、不都合なことがある。例えば、分光計を用いて画像化される物体のスペクトル画像は、光学的異常を含む。湾曲（curvature）などの光学的異常は、スペクトル帯の重複及び／またはピークの不十分な分離をもたらす可能性がある。このことは、複雑な基質において分析対象物の定量を試みる際に、間違った結果を導く可能性がある。これらの光学的異常は、類似した特有のスペクトルを有する他の組織及び液体成分から、分析対象物（例えばグルコース）を見分けることや区別することを、困難にする可能性がある。いくつかの既存の技術は、光学的異常を補正するために、ハードウェアソリューションを提案してきた。しかしながら、これらのハードウェアソリューションは、選択された光学的異常に対応する柔軟性を有していない。例えば、既存のハードウェア技術は、ホログラフィック回折格子または透過型回折格子に関連するものといった、固定されない湾曲に対応するようには適応しない。
【０００５】
［0005］  スペクトル画像の多様な光学的異常に対応する柔軟性をもつ方法を有することが望ましいだろう。
【発明の概要】
【課題を解決するための手段】
【０００６】
［0006］  一つの方法によると、スペクトル画像は、光学的異常に関して補正される。皮膚組織またはその他の組織は、高強度で狭帯域の光に暴露される。狭帯域の光は、皮膚組織または他の組織内の、少なくとも一つの分析対象物により散乱される。ラマンシグナルは、散乱光から光学的に回収される。ラマンシグナルは、波長-分離装置に対して向けられる。ラマンシグナルは、強度および波長の関数として検出され、スペクトル画像が作成される。スペクトル画像はソフトウェアアルゴリズムを使用して光学的異常に関して補正され、空間的に強度が再配置される。
【０００７】
［0007］  別の方法によると、液体中の少なくとも一つの分析対象物の濃度が測定される。皮膚組織またはその他の組織は、高強度で狭帯域の光に暴露される。狭帯域の光は、皮膚組織または他の組織内の、少なくとも一つの分析対象物により散乱される。ラマンシグナルは、散乱光から光学的に回収される。ラマンシグナルは、波長-分離装置に対して向けられる。ラマンシグナルは、強度および波長の関数として検出され、スペクトル画像が作成される。スペクトル画像はソフトウェアアルゴリズムを使用して光学的異常に関して補正され、空間的に強度が再配置される。補正されたスペクトル画像を使用して、少なくとも一つの分析対象物の濃度が測定される。
【０００８】
［0008］  さらなる方法によると、スペクトル画像は、器械を使用して、光学的異常に関して補正される。皮膚組織またはその他の組織は、高強度帯の光に暴露される。皮膚組織またはその他の組織の画像は、光学的に回収される。画像はソフトウェアを使用して動的に補正され、少なくとも一つの器械及び皮膚組織またはその他の組織に関して、光学的に補正される。補正された画像からの情報を使用して、一般的な診断を行う。
【０００９】
［0009］  さらに別の方法によると、スペクトル画像は、器械を使用して、光学的異常に関して補正される。皮膚組織またはその他の組織は、高強度帯の光に暴露される。光は、皮膚組織またはその他の組織中の、少なくとも一つの分析対象物により散乱される。蛍光シグナルは、散乱光から光学的に回収される。蛍光シグナルは、波長-分離装置に対して向けられる。蛍光シグナルは、強度および波長の関数として検出され、スペクトル画像が作成される。スペクトル画像は、ソフトウェアアルゴリズムを使用して光学的異常に関して補正され（collected）、空間的に強度が再配置される。
【００１０】
［0010］  別の方法において、スペクトル画像は、光学的異常に関して補正される。散乱光からのラマンシグナルは、光学的に回収される。ラマンシグナルは、波長-分離装置に対して向けられる。ラマンシグナルは、強度および波長の関数として検出され、スペクトル画像が作成される。スペクトル画像はソフトウェアアルゴリズムを使用して光学的異常に関して補正され、空間的に強度が再配置される。
【００１１】
［0011］  さらに別の方法において、スペクトル画像は、光学的異常に関して器械を用いて補正される。散乱光からの蛍光シグナルは、光学的に回収される。蛍光シグナルは、波長-分離装置に対して向けられる。蛍光シグナルは、強度および波長の関数として検出され（directed）、スペクトル画像が作成される。スペクトル画像はソフトウェアアルゴリズムを使用して光学的異常に関して補正され、空間的に強度が再配置される。
【図面の簡単な説明】
【００１２】
［0012］  本発明の前述の利点および他の利点は、以下の詳細な説明を読むこと、及び図面を参照することにより、明らかになるであろう。
【図１】［0013］  図1は、一つの方法による、補正されたスペクトル画像を作成する一連の行為を示す。
【図２】［0014］  図2aは、一つの態様による、未補正のスペクトル画像を伴う検出器を示す。  ［0015］  図2bは、図2aの補正されたスペクトル画像を伴う検出器を示す。
【図３】［0016］  図3aは、図2aに示される収差のタイプの、補正されていないスペクトル画像より生じる代表的なスペクトルである。  ［0017］  図3bは、図3aの補正されたスペクトル画像より生じる代表的なスペクトルである。
【図４】［0018］  図4は、一つのプロセスに従って、ソフトウェアにより光学的異常に関して補正された、スペクトル画像を作成することを補助する、一連の装置である。
【図５】［0019］  図5は、一つの態様に従って、画像の一番左および一番右において、湾曲部の頂点を見つけるために用いられる小区分を示す。
【図６】［0020］  図6は、一つの態様に従って、頂点の画素位置の上および下にある、一連の参照点を示す。
【図７】［0021］  図7は、画像の左側と右側の間での、曲率半径の違いを示す。
【発明を実施するための形態】
【００１３】
［0022］  本発明は、波長-分離装置におけるスペクトル画像の光学的異常を補正するための、ソフトウェアの方法に関するものである。光学的異常を減少させるかあるいは排除することにより、一つの方法において、分析対象物の定量的な分析を、非侵襲的な方法で測定することができる。特定の分析対象物の定量において、スペクトル分解能を保持することが、ソフトウェアの方法について、非常に望ましい。
【００１４】
［0023］  測定することができる分析対象物には、グルコース、脂質プロフィール（例えば、コレステロール、トリグリセリド、LDL、及びHDL）、微量アルブミン、フルクトース、乳酸塩、ビリルビン、クレアチニン、尿酸、カリウム、ナトリウム、塩素、及びpHが含まれる。その他の分析対象物の濃度を測定することができることが、考慮される。本明細書中で使用される場合、“濃度”という用語は、分析対象物の濃度、活性（例えば、酵素、及び電解質）、力価（例えば抗体）、または望ましい分析対象物を測定するために用いられるその他の測定基準を言う。
【００１５】
［0024］  分析対象物濃度を、定量的で非侵襲的な方法で測定するために、一つの方法において光学的画像は垂直方向に積算されて、スペクトルを生じる。他の組織及び液体成分から分析対象物（例えば、グルコース）を見分ける能力は、注目する分析対象物の特徴的なスペクトルを識別する能力に依存する。
【００１６】
［0025］  一つの方法によると、皮膚組織または他の組織を狭帯域の光に対して暴露することにより、スペクトル画像は光学的異常に関して補正される。狭帯域の光は、皮膚組織または他の組織内の、少なくとも一つの分析対象物により散乱される。この方法において、散乱光からのラマン光は光学的に回収される。ラマン光は、波長-分離装置に対して向けられる。ラマン光は強度および波長の関数として検出され、スペクトル画像が作成される。スペクトル画像は、ソフトウェアアルゴリズムを使用して光学的異常に関して補正され、空間的に強度が再配置され、または言い換えると、波長空間において、強度値が再配置される。
【００１７】
［0026］  一つの方法において、高強度で狭帯域の光源は、多様な光源により得ることができる。例えば、高強度で狭帯域の光源は、狭帯域において伝達される、単色光源により得ることができる。単色光源の一つの例は、レーザー-ダイオード光源である。発光ダイオード及び非干渉性（incoherent）ランプなどのその他の光源を使用することができることが意図される。光源は、より明瞭に規定した（すなわち狭い）帯域の光を提供するために、フィルターにかけることができる。高強度で狭帯域の光が、色素レーザー、気体レーザー、イオンレーザー、または、励起レーザーであってもよいことも意図される。
【００１８】
［0027］  一つの態様において、多色光源は適切なフィルターと組み合わされて、狭帯域の光を生じる。前記の適切なフィルターを使用して得られる狭帯域の光は、単色光と同様であってもよい。発光ダイオード（LED）または電球などの非干渉性（incoherent）光源が、狭帯域の光を生じる可能性があることが意図される。ラマン応用において、LEDまたは電球は、望ましくはフィルターを使用するであろう。LEDまたは電球を使用するその他の非-ラマン応用においてはフィルターの必要がないであろうことが意図される。その他の単色光源または多色光源が、狭帯域の光を得るために使用することができることが意図される。
【００１９】
［0028］  光源の波長は、変化してもよいが、一般的に約300 nmから約10,000 nmである。光源は、適切なフィルターを伴う、紫外光源、近赤外光源、赤外光源、または可視光源であってもよい。使用されるべき光源は、高強度で狭帯域の光であるだろう。
【００２０】
［0029］  一つの方法において、ラマンスペクトル情報は、約300 nmから約12,000 nmの範囲の波長において回収することができる。しかしながら、組織光学及びラマン効果に特有の、いくつかの波長依存的な特徴は、組織中の分析対象物の非侵襲的な測定において、ラマン技術を首尾よく用いる能力に重大な影響を与えることができる。例えば、より低い波長では、組織中の分析対象物からの固有のラマンシグナルは比較的強いが、組織の自己蛍光も比較的強いので、組織中のラマンシグナルの検出を凌駕し、また、困難にする可能性がある。反対に、より高い波長では、組織の自己蛍光及び固有のラマンシグナルは、減少する。光源の選択は、注目する分析対象物に関して、注目する波長での、ラマンシグナル力と自己蛍光干渉とのバランスに基づいて行われるだろう。そのため、グルコース分析において、830 nmまたは830 nm付近を中心とした高強度で狭帯域の光源を使用し、そして、ラマンシグナルの強度が組織の自己蛍光に対して最適化される、約800 nmから約1050 nmの範囲の波長におけるラマンスペクトル情報を回収することが望ましい。
【００２１】
［0030］  グルコースに関連するラマンスペクトル情報を、光源より100 cm-1から10,000 cm-1離れてシフトしたラマン散乱光から回収することができる。約1340 cm-1および約1125 cm-1のラマンシフトでグルコースのピークが最も強くなるため、より特異的には、グルコースに関連するラマンスペクトル情報を、光源より100 cm-1から1600 cm-1離れてシフトしたラマン散乱光から回収することができる。特に、測定される分析対象物濃度がグルコースでない場合は、異なる範囲においてラマンスペクトル情報を回収することができることが、意図される。
【００２２】
［0031］  一つの特異的な例は、830 nmレーザー-ダイオード光源である。商業的に入手可能な830 nmレーザー-ダイオード光源の一つの例は、ミシガン州Ann ArborのKaiser Optical Systems, Inc.より販売される、InvictusTM NIR 830 nm ダイオードレーザーである。別の例は、ユタ州Salt Lake CityのProcess Instrumentsより販売される、PI-ECL-830-300ダイオードレーザーである。一つの態様において、レーザー光は、皮膚組織またはその他の組織へ、約1mmビーム直径で伝達される。その他のレーザー-ダイオード光源を使用することができることが、意図される。
【００２３】
［0032］  高強度で狭帯域の光は、より高い分解能のラマンスペクトルを生じるために調節することができる。例えば、高強度で狭帯域の光は、より少ない光を暴露して、より高い分解能のラマンシグナルを得ることをもたらすように、制限される可能性がある。高強度で狭帯域の光を調節することにより、ラマンンシグナルおよび暴露の強度を、注目する分析対象物に応じて最適化することができる。
【００２４】
［0033］  本発明において異なる波長-分離装置を用いることができることが意図される。本発明の方法において使用することができる波長-分離装置には、回折素子及びフィルターが含まれる。回折素子は一般に、光を個々の成分に分解する。フィルターは、空間的に波長のグループを分離する。いくつかのフィルターは、選択的に望ましい波長のグループを通り抜けさせて、一方、望ましくない波長が通り抜けることを妨害または阻害する。その他のフィルターは、望ましい波長のグループを選択的に反射し、一方望ましくない波長は通り抜けさせる。フィルターをかけた態様から得られた画像は、選択された波長のグループである。
【００２５】
［0034］  使用することができる回折素子の例には、ホログラフィック回折格子、回折格子、光学結晶、及び、プリズムが含まれるが、これらには限定されない。ホログラフィック回折格子及び回折格子は、平面格子技術を使用して、そのスペクトル画像を形成する。使用することができるフィルターの例には、音響光学チューナブルフィルター（AOTF）、及び、液晶チューナブルフィルター（LCTF）が含まれるが、これらには限定されない。
【００２６】
［0035］  検出器は、マルチピクセル検出器であってもよい。マルチピクセル検出器の例には、電荷結合素子（CCD）、ダイオードアレイ、または、フィルムが含まれるが、これらには限定されない。その他のマルチピクセル検出器を使用することができることが意図される。CCDは光を受け取り、そして、それを強度および波長の関数として表示する。CCDの一つの例には、垂直方向に1300行の画素および水平方向に1340列の画素の画素配列が含まれる。CCDが、垂直方向に異なる数の行、そして、水平方向に異なる数の列を有していてもよいことが、意図される。検出器が、可動性単一画素検出器（movable single-pixel detector）であってもよいことが、意図される。例えば、可動性スリットを有する単一画素検出器を使用することができる。その他の態様において、検出器はダイオードアレイであってもよい。
【００２７】
［0036］  ソフトウェアには、異常のある光学的画像における画素値を再びマップし、対象物の正確な画像の画素値に合致させるアルゴリズムが含まれる。言い換えれば、アルゴリズムは実行された後、もとの画像を適切に表示する。アルゴリズムは、異常のある画像と異常のない画像とを比較することにより、異常のある画素がどのように再びマップされるべきかを選択する。光が光学素子（例えば、レンズ、回折格子、フィルター、検出器など）と相互作用する場合、望ましくない異常が起こる。ソフトウェアアルゴリズムを使用して、光学的異常に関して補正することにより、本発明の方法は、操作の柔軟性を改善させる。例えば、既知の異常を引き起こす波長-分離装置において、レンズが変更される場合、ソフトウェアアルゴリズムは、この新たな異常に関して補正するようにプログラムすることができる。ソフトウェアアルゴリズムは、光学配列における小さな変化に対処することをも補助することができる。
【００２８】
［0037］  一つの具体的な用途において、スペクトル画像は、垂直直線スリット画像を使用して形成することができる。この態様におけるスペクトル画像の強度は、垂直ビニングにより、典型的に測定される。化学同定及び定量分析について、スリット画像は、垂直方向に積算され、スペクトルを形成する。ホログラフィック波長分離装置を通り抜けた垂直直線スリット画像は、例えば、湾曲した画像をもたらす。なぜなら、垂直スリットの長さに沿った異なる位置からの光線は、異なる斜角で回折格子へ入射するからである。垂直直線スリット画像を使用する、未補正のスペクトル画像には、湾曲が含まれる。この湾曲は、顕著なスペクトル帯の広がり、そして結合後の分解能の喪失を伴う、あまり分解されていないスペクトルをもたらす。つまりこの態様において補正されるべき光学的異常は、垂直直線スリット画像を使用する方法に付随する湾曲である。
【００２９】
［0038］  別の方法において、ソフトウェアにより補正されるスペクトル画像には、AOTFの使用が含まれてもよい。AOTFを使用する場合、系はいくつもの様式において、操作することができる。一つの様式には、個々の波長または狭い波長領域がフィルターを通り、検出器（例えばCCD）によって回収されることが含まれる。AOTF及び集光光学系における特有の異常は、特に、足し合わされたりまたは積分された場合に、低分解能の画像を生み出す。ソフトウェア補正方法を使用して、明確に分解された画像を再構築する。ソフトウェア補正方法は、強度の異常だけでなく、二次元の異常に関しても補正することができる。二つ目の様式は、複数の単一波長画像の回収である。それらの個々の波長画像は、組み合わされ、スペクトル画像が形成される。このスペクトル画像は、特定の度合いによって補正（offset）することができる。ソフトウェアアルゴリズムを使用してスペクトル画像を補正することにより、スペクトル画像を再調整して、画像の不鮮明さを防ぐかあるいは減少させることができる。前記方法において、スペクトル画像の水平部及び垂直部を補正することができる。ソフトウェアによって対処することができるいくつかの光学的異常には、位置変化、非干渉性（non-coherent）ファイバー、レンズ収差、結晶の不整合性、強度の異常、及び回収効率の変動が含まれる。
【００３０】
［0039］  一つの方法において、光（例えばラマンシグナル）は、分光計を使用して、回収され、そして検出される。分光計は、光を回収しそして分離する装置である。分光計には、集光光学系、波長-分離装置、及び検出器が含まれる。分光計にはまた光源が含まれてもよい。集光光学系は、光（例えば、ラマン光）を回収し、波長-分離装置へと向けるのを補助する。波長-分離装置は、光を分離波長成分に分離する。検出器は、光を強度および波長の関数として検出し、スペクトル画像を作成する。分光計には、さらに、波長-分離装置から検出器へと存在するラマン光を向け、そして焦点を合わせることを補助する、合焦光学系が含まれてもよい。
【００３１】
［0040］  図1を参照すると、本態様においてはプリズムである波長-分離装置14を介して、対象物10が画像化されることが示される。ラマン光は、強度および波長の関数として検出され、検出器16によりスペクトル画像が作成される。本態様における検出器は、電荷結合素子（CCD）である。図1の検出器16に示されるスペクトル画像は、望ましく補正されたスペクトル画像である。
【００３２】
［0041］  上述の通り、スペクトル画像の未補正の異常の一つは、画像の湾曲により特徴づけられる可能性がある。画像の湾曲は、画像が波長-分配装置を通る際に起こる。湾曲を伴う未補正の画像の一つの例は、図2aにおける検出器上に示される。図2aの未補正の画像は、一般に垂直直線スリットを用いる平面格子分光計由来であってもよい。
【００３３】
［0042］  特に、図2aは、垂直スリットによる、複数の曲線の画像28a-cを有する検出器26aを示す。図2aは、ソフトウェアアルゴリズムによって補正されなかったスペクトル画像を示す。図2bは、一般に垂直の直線である、複数の補正された線の画像30a-cを有する、検出器26bを示す。図2bの補正された線の画像30a-cは、湾曲-補正ソフトウェアアルゴリズムを使用して補正された。検出器26a、bの水平軸は、ラマン光の波長成分を表し、一方垂直軸は、垂直スリット高の測定値を表す。波長は、図2bの水平軸上を左から右に進むに従って増加する。光の強度は、ラマン光の波長成分の量に対応する。
【００３４】
［0043］  湾曲を補正する一つの方法において、ソフトウェアアルゴリズムは、参照点として、湾曲の垂直方向の中心（図2a、2bでそれぞれ点線32a、32bとして示される）を用いることにより始まる。湾曲-補正アルゴリズムは、図2aに示される点線32aの上および下の画素の強度値をシフトさせる。画素の強度値をシフトさせることにより、シフトした画素が、例えば図2bに示されるように、参照画素と並列されるであろう。
【００３５】
［0044］  図3aは、曲線から構築されたネオン光源の代表的なスペクトルを示し、一方図3bは、補正された線の画像から再構築されたネオン光源のスペクトルを示す。図3a、3bのスペクトルはそれぞれ、未補正の画像、及び補正された画像から、画素値を垂直方向に積算することにより生じた。未補正のスペクトル（図3a）におけるピーク形状は、画像の右側に大きく尾をひいた形をし、そして隣接したピークと重なっていることが示された。つまり、図3aのスペクトルの分解能は低下した。前記の劣化した画像は、化学構造及び同定に関係する、価値のある情報を破壊する可能性がある。それに対して、図3bは、高度に分解可能であり、そしてそのために、よりネオンに特徴的であるスペクトルにおけるピークを示した。図3bの補正されたスペクトル分解は、図3aの未補正のスペクトル分解と比較すると、例えあったとしても、劣化がより少ないことを示した。
【００３６】
［0045］  図4を参照すると、一つのプロセスに従って、ソフトウェアによって光学的異常に関して補正されたスペクトル画像を作成することを補助する、一連の装置が示される。図4には、狭帯域の光を生じるレーザー光源60が含まれる。レーザー光は、レンズ62を通して皮膚組織66上へ伝達される。狭帯域の光は、皮膚組織中の少なくとも一つの分析対象物によって散乱される。集光ミラー70は、皮膚組織66からの散乱光を回収することを補助する。放物面鏡といった、その他のミラーを散乱光の回収に用いることができることが、意図される。回収された光は、音響光学チューナブルフィルター（AOTF）76などの、波長-分離装置に対して向けられる。回収された光は、ファイバー束82を介して少なくとも一つのスリット80へと向けられる。一つの態様において、ファイバー束はスリットを形成することができる。ファイバー束82は、回収された光を少なくとも一つのスリット80へと向けることを補助する。ファイバー束は、波長-分離装置から検出器へと光を向け、そして焦点を合わせることを補助する、付加的な検出器-合焦光学系（detector-focusing optics）の一つの例である。その他の検出器-合焦光学系が、波長-分離装置から検出器へと光を向け、そして焦点を合わせることを補助することに使用することができることは、考慮される。光は検出器により強度および波長の関数として検出され、スペクトル画像を作成する。検出器の一つの例は、回折格子88を伴うCCD84として、図4に示される。スペクトル画像はソフトウェアアルゴリズムを使用して、光学的異常に関して補正され、空間的に強度が再配置される。
【００３７】
［0046］  光学的異常は、異なるアルゴリズムを用いて補正することができる。一つの方法において、ホログラフィック回折格子を使用するときに見られる湾曲を補正するため、ネオン較正ランプ（neon caribration lamp）を使用して、CCDアレイ上に“特徴豊かな”スペクトルを作成する。較正ランプは、通常は、注目するスペクトル範囲をカバーし、そしてCCDの全体の領域にわたって画像化される。一つの例において、ネオン光源からのスペクトル線は、図2aに示されるように、CCD上に画像化された曲線の集まりとして現れる。しかしながら、湾曲の度合いは、CCDの表面に渡って必ずしも同じではない。
【００３８】
［0047］  CCD上に形成される画像を、CCDの各列を読み取ることにより、多数の異なるスペクトルに分解することができる。これらのスペクトルのそれぞれは、一般に構造は似ているが、データはスペクトル線の湾曲が原因で、伸展されるかあるいはシフトしているように現れる場合がある。この湾曲を補正するために、これらの個々のスペクトルの元データをシフトして、図2の湾曲を解消することができる。
【００３９】
［0048］  例えば、もし1340列×1300行の画素のCCDが使用される場合、画像を26の水平スペクトルに区分することができる。26の水平スペクトルのそれぞれは、1340×26アレイを作成するために、隣接する50の垂直方向の画素を合計するかまたはビニングすることによって作成される。垂直ビニングは、データを垂直方向になめらかにするために行われる。ビニングされる画素数を調節して、局所の湾曲の効果を最少にすることができる。参照スペクトルは、アレイの垂直方向の中心（例えば、図2aの点線32a参照）にあるものが選択される。典型的に、参照スペクトルは、湾曲の頂点に位置する。この参照スペクトルは修飾されないが、参照スペクトルの上及び下に位置する未補正スペクトルは、参照スペクトルの相対的な形に合うように伸展及びシフトされる。
【００４０】
［0049］  スペクトルを伸展するために、参照スペクトルのそれぞれの端にある小さな区分（例えば、頂点の画素位置120及び140を伴う図5を参照）が、モデルスペクトルとして選択される。これらのモデルスペクトルの位置は記録される。次に検索ルーチン（search routine）が呼び出されて、図6に示されるように、参照スペクトルの上及び下のすべての未補正スペクトルにおいて、左および右のモデルスペクトルの位置を決める。左および右のモデルスペクトルの位置は記録される。このデータより、参照スペクトルと共に再配列されるために、未補正スペクトルの両端において、シフトされる必要がある画素数が決定される。
【００４１】
［0050］  一つの方法において、一つの未補正スペクトル内の各画素位置における画素シフトの量を決定するため、そのスペクトルに関する二つの補正値から線形方程式が立てられる。そして次に、画素補正値がそのスペクトル中のすぺての画素位置に関して計算される。この計算により、ビンニングスペクトルの各行に対しての、26の線形方程式が結果として得られる。これらの方程式を使用して、ビニングアレイにおいて各画素についての画素シフト値を計算することにより、第二の1340×26シフトマップが作成される。全体の1340×1300アレイの画素シフト値をマップするために、画素シフト値は、1340×26シフトマップの行から垂直方向に補間され、そして外挿される。得られた1340×1300アレイは、未補正スペクトル画像における各画素についての水平シフト値を含むマップである。このマップを用いることにより、図7に示されるように、続くスペクトル画像において画素を再配置することができる。
【００４２】
［0051］  図5〜7に関して用いられる上述の方法は、線形の変換マップを作成し、また、一つの軸のみにおける画像の補正に関与する。スペクトル内のより多くのモデル領域の使用により、補正される異常のタイプに応じて、より多くの正確な（非線形の）マップを作成することができることが、意図される。一つの軸のみにおいて画像を補正することに加えて二次元補正を行って、球面収差、糸巻き型収差、樽型収差、及びコマ収差などの、その他の光学的幾何学的ひずみに関して補正するすることができることが、意図される。
【００４３】
［0052］  さらに、図5〜7に関して、上述された方法は、静的光学系を特徴づける画素変換マップを作成することに関与する。しかしながら、幾何学的ひずみの源が変化しているならば、幾何学的-補正アルゴリズムは、キャプチャーされる画像ごとに、動的に適用される可能性があることが、意図される。この方法は、分析される各未補正画像における、参照スペクトルまたは幾何学を含むことにより、達することができる。例えば、ゆがんだスペクトル画像を動的に補正するために、既知の較正光源からの光を各スペクトル画像に加えることができる。次にアルゴリズムが検索をし、そして較正光のスペクトル特性の位置に基づいて、画像を補正する。
【００４４】
［0053］  その他の態様を、本発明の方法に用いることができることが意図される。例えば、非干渉性（incoherent）ファイバー束を用いる一次元空間画像であり、ファイバー束の一方の端は、ファイバーがスリットとして準備される。この具体的な用途において、ソフトウェア補正アルゴリズムは、“訓練対象物（training object）”の非干渉性（incoherent）画像における画素の位置を再びマップして、正しい空間的分布を再び作成する。
【００４５】
［0054］  ソフトウェア補正アルゴリズムは、スリットに関与する光学的異常を補正することに限定されない。例えば、異なるが既知の屈折率を有する画像においては、対象物のその他のサイズ補正を行うことができる。ソフトウェアアルゴリズムに加えて、ハードウェアソリューションもまた、ソフトウェア補正アルゴリズムと組み合わせて使用されることが可能であり、引き続いて回収されるスペクトル画像に使用されるであろう補正アルゴリズムを作成する。
【００４６】
［0055］  ラマンシグナルを使用することに加えて、その他のシグナルを使用して、光学異常に関してスペクトル画像を補正することができる。他の方法において、分析対象物の濃度を測定する非侵襲的方法は、蛍光スペクトル情報を使用する。蛍光スペクトル情報を使用して測定することができる分析対象物には、グルコース、脂質プロフィール（例えば、コレステロール、トリグリセリド、LDL、及びHDL）、微量アルブミン、ヘモグロビンA1C、または、ビリルビンが含まれる。しかしながら、本発明は、これらの特定の分析対象物に限定はされず、またその他の分析対象物濃度を測定することができることが意図される。
【００４７】
［0056］  別の方法において、蛍光スペクトル情報を使用する非侵襲的方法を使用して、皮膚組織などの組織の診断を提供する。例えば、一つの方法において、回収された蛍光シグナルからの情報を使用して、一般的な診断を行うことができる。一般的な診断には、（a）特定の分析対象物の存在、（b）特定の分子、または（c）組織形態、を同定することが含まれてもよい。一般的な診断を、いくつかの有益な用途に対して向けることができる。例えば、潜在的な癌性皮膚病変は、一つの適用において同定することができる。潜在的な癌性細胞を同定することにより、組織切除を最小にすることができる。別の用途において、癌性細胞のステージを同定することができる。さらなる用途において、癌の光線力学療法の有効性を、追跡することが可能である。本発明の方法を使用して、その他の診断を行うことができることが、意図される。
【００４８】
［0057］  蛍光スペクトル情報に用いられる高強度の光は、狭帯域の光であってもよいが、必ずしも狭帯域の光である必要はない。高強度の光源は、単色光源、または、多色光源より得ることができる。発光ダイオード（例えば、蛍光分子LED）、非干渉性（incoherent）ランプ、色素レーザー、気体レーザー、イオンレーザー、励起レーザー、または電球などの、その他の光源を用いることができることが意図される。
【００４９】
［0058］  光源の波長は変化してもよいが、一般に300 nmと10,000 nmとの間である。一つの方法における、蛍光スペクトル情報を、約300 nmから約12,000 nmの範囲の波長において回収することができる。決定される分析対象物濃度に応じて、異なる範囲において蛍光スペクトル情報を回収することができることが、意図される。
【００５０】
［0059］  皮膚組織、またはその他の組織は、帯域をもつ光に対して暴露される。組織の画像を、皮膚の個々の領域に限定することができる。別の方法において、組織の画像は、体全体のスキャンである可能性がある。皮膚組織または他の組織の画像は、光学的に回収される。使用することができる画像化光学系の例には、図4に関連して上述した通り、ファイバー束、レンズ、及び、ミラーが含まれるが、これらには限定されない。画像は、器械及び皮膚の両方に関して光学的に補正するソフトウェアを使用して、動的に補正される。補正された画像は、次に、診断のために用いられる。器械に影響する器械収差が、測定される。収差には、レンズ及び／または集光ファイバー（collections fibers）などの品目が、関連する可能性がある。収差が他のものに関連する可能性があることが意図される。
【００５１】
［0060］  スペクトル画像を補正する方法を、組織以外のその他の品目に用いることができることが意図される。一つの方法において、スペクトル画像は、光学的異常に関して補正される。散乱光からのラマンシグナルは、光学的に回収される。ラマンシグナルは、波長-分離装置に対して向けられる。ラマンシグナルは、強度および波長の関数として検出され、スペクトル画像が作成される。スペクトル画像は、ソフトウェアアルゴリズムを使用して光学的異常に関して補正され、空間的に強度が再配置される。
【００５２】
［0061］  別の方法において、スペクトル画像は器械を用いて光学的異常に関して補正される。散乱光からの蛍光シグナルは光学的に回収される。蛍光シグナルは、波長-分離装置に対して向けられる。蛍光シグナルは、強度および波長の関数として検出され（directed）、スペクトル画像が作成される。スペクトル画像は、ソフトウェアアルゴリズムを使用して光学的異常に関して補正され、空間的に強度が再配置される。
【００５３】
プロセスA
［0062］  高強度で狭帯域の光であって皮膚組織中の少なくとも一つの分析対象物により散乱されるものに対して、皮膚組織を暴露すること；
散乱光からのラマンシグナルを光学的に回収すること；
ラマンシグナルを波長-分離装置に対して向けること；
ラマンシグナルを強度および波長の関数として検出して、スペクトル画像を作成すること；そして
ソフトウェアアルゴリズムを使用して光学的異常に関してスペクトル画像を補正して、空間的に強度を再配置すること；
を含む、光学的異常に関してスペクトル画像を補正する方法。
【００５４】
プロセスB
［0063］  狭帯域の光が単色光である、プロセスAの方法。
【００５５】
プロセスC
［0064］  単色光がレーザーによるものである、プロセスBの方法。
【００５６】
プロセスD
［0065］  狭帯域の光が多色光源より得られる、プロセスAの方法。
【００５７】
プロセスE
［0066］  狭帯域の光が約300 nmから約5,000 nmの波長を有する、プロセスAの方法。
【００５８】
プロセスF
［0067］  狭帯域の光が約800 nmから約1,050 nmの波長を有する、プロセスEの方法。
【００５９】
プロセスG
［0068］  ラマン光を検出することがマルチピクセル検出器を使用することを含む、プロセスAの方法。
【００６０】
プロセスH
［0069］  マルチピクセル検出器が電荷結合素子（CCD）である、プロセスGの方法。
【００６１】
プロセスI
［0070］  マルチピクセル検出器がダイオードアレイである、プロセスGの方法。
【００６２】
プロセスJ
［0071］  ラマン光を検出することが可動性単一検出器（movable single detector）を使用することを含む、プロセスAの方法。
【００６３】
プロセスK
［0072］  波長-分離装置が回折素子である、プロセスAの方法。
【００６４】
プロセスL
［0073］  回折素子がホログラフィック回折格子、回折格子、光学結晶、または、プリズムである、プロセスKの方法。
【００６５】
プロセスM
［0074］  波長-分離装置がフィルターである、プロセスAの方法。
【００６６】
プロセスN
［0075］  フィルターが音響光学チューナブルフィルター（AOTF）、または、液晶チューナブルフィルター（LCTF）である、プロセスMの方法。
【００６７】
プロセスO
［0076］  光学的異常が曲線である、プロセスAの方法。
【００６８】
プロセスP
［0077］  画像が垂直直線スリット画像（vertical straight slit image）である、プロセスAの方法。
【００６９】
プロセスQ
［0078］  強度の関数としてのラマンシグナルの検出が垂直ビニングを含む、プロセスAの方法。
【００７０】
プロセスR
［0079］  高強度で狭帯域の光であって皮膚組織中の少なくとも一つの分析対象物により散乱されるものに対して、皮膚組織を暴露すること；
散乱光からのラマンシグナルを光学的に回収すること；
ラマンシグナルを波長-分離装置に対して向けること；
ラマンシグナルを強度および波長の関数として検出して、スペクトル画像を作成すること；
ソフトウェアアルゴリズムを使用して光学的異常に関してスペクトル画像を補正して、空間的に強度を再配置すること；そして
補正されたスペクトル画像を使用して、少なくとも一つの分析対象物の濃度を測定すること；
を含む、液体中の少なくとも一つの分析対象物の濃度を測定する方法。
【００７１】
プロセスS
［0080］  分析対象物がグルコースである、プロセスRの方法。
【００７２】
プロセスT
［0081］  狭帯域の光が単色光である、プロセスRの方法。
【００７３】
プロセスU
［0082］  単色光がレーザーによるものである、プロセスTの方法。
【００７４】
プロセスV
［0083］  狭帯域の光が多色光源より得られる、プロセスRの方法。
【００７５】
プロセスW
［0084］  狭帯域の光が約300 nmから約5,000 nmの波長を有する、プロセスRの方法。
【００７６】
プロセスX
［0085］  狭帯域の光が約800 nmから約1,050 nmの波長を有する、プロセスWの方法。
【００７７】
プロセスY
［0086］  ラマン光を検出することがマルチピクセル検出器を使用することを含む、プロセスRの方法。
【００７８】
プロセスZ
［0087］  マルチピクセル検出器が電荷結合素子（CCD）である、プロセスYの方法。
【００７９】
プロセスAA
［0088］  マルチピクセル検出器がダイオードアレイである、プロセスYの方法。
【００８０】
プロセスBB
［0089］  ラマン光を検出することが可動単一検出器（movable single detector）を使用することを含む、プロセスRの方法。
【００８１】
プロセスCC
［0090］  波長-分離装置が回折素子である、プロセスRの方法。
【００８２】
プロセスDD
［0091］  回折素子がホログラフィック回折格子、回折格子、光学結晶、または、プリズムである、プロセスCCの方法。
【００８３】
プロセスEE
［0092］  波長-分離装置がフィルターである、プロセスRの方法。
【００８４】
プロセスFF
［0093］  フィルターが音響光学チューナブルフィルター（AOTF）、または、液晶チューナブルフィルター（LCTF）である、プロセスEEの方法。
【００８５】
プロセスGG
［0094］  光学的異常が曲線である、プロセスRの方法。
【００８６】
プロセスHH
［0095］  画像が垂直直線スリット画像（vertical straight slit image）である、プロセスRの方法。
【００８７】
プロセスII
［0096］  強度の関数としてのラマンシグナルの検出が垂直ビニングを含む、プロセスRの方法。
【００８８】
プロセスJJ
［0097］  高強度帯域の光に対して、皮膚組織を暴露すること；
皮膚組織の画像を光学的に回収すること；
ソフトウェアを使用して画像を動的に補正して、少なくとも一つの器械及び皮膚組織に関して光学的に補正すること；そして
補正された画像からの情報を使用して、一般的な診断を行うこと；
を含む、器械を使用して光学的異常に関してスペクトル画像を補正する方法。
【００８９】
プロセスKK
［0098］  高強度帯域の光が単色光である、プロセスJJの方法。
【００９０】
プロセスLL
［0099］  単色光がレーザーによるものである、プロセスKKの方法。
【００９１】
プロセスMM
［0100］  高強度帯域の光が多色光源より得られる、プロセスJJの方法。
【００９２】
プロセスNN
［0101］  高強度帯域の光が約300 nmから約5,000 nmの波長を有する、プロセスJJの方法。
【００９３】
プロセスOO
［0102］  高強度帯域の光が約800 nmから約1,050 nmの波長を有する、プロセスNNの方法。
【００９４】
プロセスPP
［0103］  画像を光学的に回収することがマルチピクセル検出器を使用することを含む、プロセスJJの方法。
【００９５】
プロセスQQ
［0104］  マルチピクセル検出器が電荷結合素子（CCD）である、プロセスPPの方法。
【００９６】
プロセスRR
［0105］  マルチピクセル検出器がダイオードアレイである、プロセスPPの方法。
【００９７】
プロセスSS
［0106］  検出器が可動性単一検出器（movable single detector）である、プロセスJJの方法。
【００９８】
プロセスTT
［0107］  画像を光学的に回収することが、波長-分離装置として回折素子を使用することを含む、プロセスJJの方法。
【００９９】
プロセスUU
［0108］  回折素子がホログラフィック回折格子、回折格子、光学結晶、または、プリズムである、プロセスTTの方法。
【０１００】
プロセスVV
［0109］  画像を光学的に回収することが、波長-分離装置としてフィルターを使用することを含む、プロセスJJの方法。
【０１０１】
プロセスWW
［0110］  フィルターが音響光学チューナブルフィルター（AOTF）、または、液晶チューナブルフィルター（LCTF）である、プロセスVVの方法。
【０１０２】
プロセスXX
［0111］  高強度の光であって皮膚組織中の少なくとも一つの分析対象物により散乱されるものに対して、皮膚組織を暴露すること；
散乱光からの蛍光シグナルを光学的に回収すること；
蛍光シグナルを波長-分離装置に対して向けること；
蛍光シグナルを強度および波長の関数として検出して、スペクトル画像を作成すること；そして
ソフトウェアアルゴリズムを使用して光学的異常に関してスペクトル画像を補正して、空間的に強度を再配置すること；
を含む、器械を使用して光学的異常に関してスペクトル画像を補正する方法。
【０１０３】
プロセスYY
［0112］  高強度の光が単色光である、プロセスXXの方法。
【０１０４】
プロセスZZ
［0113］  単色光がレーザーによるものである、プロセスYYの方法。
【０１０５】
プロセスAAA
［0114］  高強度の光が多色光源より得られる、プロセスXXの方法。
【０１０６】
プロセスBBB
［0115］  高強度の光が約300 nmから約5,000 nmの波長を有する、プロセスXXの方法。
【０１０７】
プロセスCCC
［0116］  蛍光を検出することがマルチピクセル検出器を使用することを含む、プロセスXXの方法。
【０１０８】
プロセスDDD
［0117］  マルチピクセル検出器が電荷結合素子（CCD）である、プロセスCCCの方法。
【０１０９】
プロセスEEE
［0118］  マルチピクセル検出器がダイオードアレイである、プロセスCCCの方法。
【０１１０】
プロセスFFF
［0119］  蛍光を検出することが、可動性単一検出器（movable single detector）を使用することを含む、プロセスXXの方法。
【０１１１】
プロセスGGG
［0120］  波長-分離装置が回折素子である、プロセスXXの方法。
【０１１２】
プロセスHHH
［0121］  回折素子がホログラフィック回折格子、回折格子、光学結晶、または、プリズムである、プロセスGGGの方法。
【０１１３】
プロセスIII
［0122］  波長-分離装置がフィルターである、プロセスXXの方法。
【０１１４】
プロセスJJJ
［0123］  フィルターが音響光学チューナブルフィルター（AOTF）、または、液晶チューナブルフィルター（LCTF）である、プロセスIIIの方法。
【０１１５】
プロセスKKK
［0124］  光学的異常が曲線である、プロセスXXの方法。
【０１１６】
プロセスLLL
［0125］  画像が垂直直線スリット画像（vertical straight slit image）である、プロセスXXの方法。
【０１１７】
プロセスMMM
［0126］  強度の関数としてのラマンシグナルの検出が垂直ビニングを含む、プロセスXXの方法。
【０１１８】
プロセスNNN
［0127］  高強度で狭帯域の光であって組織中の少なくとも一つの分析対象物により散乱されるものに対して、組織を暴露すること；
散乱光からのラマンシグナルを光学的に回収すること；
ラマンシグナルを波長-分離装置に対して向けること；
ラマンシグナルを強度および波長の関数として検出して、スペクトル画像を作成すること；そして
ソフトウェアアルゴリズムを使用して光学的異常に関してスペクトル画像を補正して、空間的に強度を再配置すること；
を含む、光学的異常に関してスペクトル画像を補正する方法。
【０１１９】
プロセスOOO
［0128］  高強度で狭帯域の光であって組織中の少なくとも一つの分析対象物により散乱されるものに対して、組織を暴露すること；
散乱光からのラマンシグナルを光学的に回収すること；
ラマンシグナルを波長-分離装置に対して向けること；
ラマンシグナルを強度および波長の関数として検出して、スペクトル画像を作成すること；
ソフトウェアアルゴリズムを使用して光学的異常に関してスペクトル画像を補正して、空間的に強度を再配置すること；そして
補正されたスペクトル画像を使用して、少なくとも一つの分析対象物の濃度を測定すること；
を含む、液体中の少なくとも一つの分析対象物の濃度を測定する方法。
【０１２０】
プロセスPPP
［0129］  高強度帯域の光に対して、組織を暴露すること；
組織の画像を光学的に回収すること；
ソフトウェアを使用して画像を動的に補正して、少なくとも一つの器械及び組織に関して光学的に補正すること；そして
補正された画像からの情報を使用して、一般的な診断を行うこと；
を含む、器械を使用して光学的異常に関してスペクトル画像を補正する方法。
【０１２１】
プロセスQQQ
［0130］  高強度の光であって組織中の少なくとも一つの分析対象物により散乱されるものに対して、組織を暴露すること；
散乱光からの蛍光シグナルを光学的に回収すること；
蛍光シグナルを波長-分離装置に対して向けること；
蛍光シグナルを強度および波長の関数として検出して、スペクトル画像を作成すること；そして
ソフトウェアアルゴリズムを使用して光学的異常に関してスペクトル画像を補正して、空間的に強度を再配置すること；
を含む、器械を使用して光学的異常に関してスペクトル画像を補正する方法。
【０１２２】
プロセスRRR
［0131］  散乱光からのラマンシグナルを光学的に回収すること；
ラマンシグナルを波長-分離装置に対して向けること；
ラマンシグナルを強度および波長の関数として検出して、スペクトル画像を作成すること；そして
ソフトウェアアルゴリズムを使用して光学的異常に関してスペクトル画像を補正して、空間的に強度を再配置すること；
を含む、光学的異常に関してスペクトル画像を補正する方法。
【０１２３】
プロセスSSS
［0132］  散乱光からの蛍光シグナルを光学的に回収すること；
蛍光シグナルを波長-分離装置に対して向けること；
蛍光シグナルを強度および波長の関数として検出して、スペクトル画像を作成すること；そして
ソフトウェアアルゴリズムを使用して光学的異常に関してスペクトル画像を補正して、空間的に強度を再配置すること；
を含む、器械を使用して光学的異常に関してスペクトル画像を補正する方法。
【０１２４】
［0133］  本発明は、一つあるいはそれ以上の特定の態様に関して記述されているが、本発明の精神と範囲から逸脱することなく、多くの変化をそれに行うことができることを、当業者は認識するだろう。個々のこれらの態様、およびそれらの明白な変更は、添付の請求項により定義される通り、発明の精神と範囲の中に含まれるものと意図される。
【図１】
2010501251.tif 000003
【図２ａ】
2010501251.tif 000004
【図２ｂ】
2010501251.tif 000005
【図３】
2010501251.tif 000006
【図４】
2010501251.tif 000007
【図５】
2010501251.tif 000008
【図６】
2010501251.tif 000009
【図７】
2010501251.tif 000010
【国際調査報告】
2010501251.tif 000011
2010501251.tif 000012
2010501251.tif 000013